(57)【要約】【課題】タービンの排気室等から流出する蒸気の流れを復水器の蒸気流入部において一様となり、各伝熱管巣内へ均等に分散して流入することにより、性能が向上するような整流装置付復水器を提供することを目的とする。【解決手段】本発明による整流装置付復水器は、蒸気が流入する蒸気流入部を備えると共に内部に多数の伝熱管からなる伝熱管巣（３２）を有する復水器（３０）において、前記蒸気流入部の内壁面に、該蒸気流入部を介して流入する蒸気の流れ方向を横切るように内向きに延在するように配設された整流装置（５０）を備えることを特徴とする。【選択図】　　　　図１
2004100986.tif 000002
【特許請求の範囲】
【請求項１】
蒸気が流入する蒸気流入部を備えると共に内部に多数の伝熱管からなる伝熱管巣を有する復水器において、
前記蒸気流入部の内壁面に、該蒸気流入部を介して流入する蒸気の流れ方向を横切るように内向きに延在するように配設された整流装置を備える整流装置付復水器。
【請求項２】
前記整流装置は、前記蒸気流入部の前記内壁面に沿って環状に配設されている請求項１記載の整流装置付復水器。
【請求項３】
前記整流装置は、オリフィス状部材である請求項２記載の整流装置付復水器。
【請求項４】
前記整流装置は、案内羽根状部材である請求項２記載の整流装置付復水器。
【請求項５】
前記整流装置は、オリフィス状の多孔部材である請求項２記載の整流装置付復水器。
【請求項６】
前記整流装置は、前記蒸気の流れ方向を横切るように前記蒸気流入部の全体に亘って配設されている請求項１記載の整流装置付復水器。
【請求項７】
前記整流装置は、ハニカムである請求項６記載の整流装置付復水器。
【請求項８】
前記整流装置は、多孔板である請求項６記載の整流装置付復水器。
【請求項９】
前記整流装置は、ワイヤメッシュである請求項６記載の整流装置付復水器。
【請求項１０】
前記蒸気流入部側に蒸気タービンが連設されており、前記蒸気は該蒸気タービンから排出される請求項１乃至５の内のいずれか１項記載の整流装置付復水器。
【請求項１１】
前記蒸気タービンとの間に中間胴が連設されており、前記整流装置が該中間胴に配設されている請求項１０記載の整流装置付復水器。
【発明の詳細な説明】
【０００１】
【発明の属する技術分野】
本発明は、高温の蒸気を多数の伝熱管との間で熱交換させて冷却し復水にして回収する復水器に関し、特に、復水器内に流入する蒸気流に含まれる旋回成分を除去して均一流入とするための整流装置に関する。
【０００２】
【従来の技術】
例えば、蒸気タービンのタービン車室で仕事を成した高温の蒸気は、排気室から排出されて復水器に流入する。そして、この復水器内部において、蒸気は多数の伝熱管との間で熱交換を行い、冷却されて復水となり回収される。
【０００３】
図７は、従来の蒸気タービン用復水器に流入する蒸気の流れを示す概要図であり、（Ａ）は、その上面図、（Ｂ）は、その正面図である。この図を参照するに、タービン車室（図示せず）の排気室１０は、タービン軸１の軸線方向で且つ蒸気の流れ方向下流に中間胴２０へ連接しており、さらにこの中間胴２０は、復水器３０へと連接している。
【０００４】
復水器３０は、箱型の胴体３１を備えており、胴体３１の内部には、多数の伝熱管からなる伝熱管巣３２が、複数の伝熱管支持板３３に支持されている。伝熱管巣３２は、鉛直方向に上下２段、並びに蒸気の流れ方向に前後２段と、分割して設けられている。なお、伝熱管巣３２の下方には、復水だめ３４が設けられている。
【０００５】
このように構成された蒸気タービン用復水器への蒸気の流れを説明する。タービン車室で仕事を成した高温の蒸気の流れＳは、排気室１０の排気口１１から中間胴２０の内部を介して復水器３０へ流入する。復水器３０の内部へ流入した高温の蒸気Ｓは、各伝熱管巣３２の内部に導かれて個々の伝熱管との間で熱交換を行い、冷却されて復水となる。復水は、伝熱管巣３２の下方の復水だめ３４に集められ、復水出口（図示せず）から回収される。
【０００６】
ここで、復水器の性能を良くするためには、タービンの与えられた負荷運転において、高温の蒸気と伝熱管巣との間で良好な伝熱を行わせることが望ましい。そのために、中間胴２０を抜けた高温の蒸気は、復水器３０の蒸気流入部において一様な流れになることが望まれる。すなわち、復水器３０の蒸気流入部で蒸気の流れが一様になれば、蒸気は、上下、前後に分割された伝熱管巣３２へ均等に分散し、その結果、個々の伝熱管へ均等に導かれて、両者の間で良好な熱交換が行われるからである。
【０００７】
一方、復水器冷却管群の上部に位置する復水器本体の胴部壁面に設けられた連絡胴によって複数の復水器が連結された復水装置において、復水器冷却管群を凝縮した液滴による浸蝕から防止するために、連絡胴の両開口部に整流板をあるいは開口部側の底板の端部に堰を設け、タービン排気蒸気が連絡胴の底板に衝突して発生した液滴が復水器冷却管群へ飛散することを防止するものがある（例えば、特許文献１参照）。
【０００８】
【特許文献１】
特開平５−６６０９４号公報（要約、図１及び図２）
【０００９】
【発明が解決しようとする課題】
しかしながら、復水器に流入する蒸気には、タービンの回転によって生じる旋回成分が含まれており、流入蒸気のボリュームフローが少ない場合（タービン部分負荷運転時）には、旋回成分が復水器内の蒸気流動の偏りを発生させる原因となる。すなわち、図７に示すように、排気室１０の排気口１１から流出した蒸気の流れＳは、中間胴２０の壁面２１付近に寄った偏流となる。このような蒸気流動の偏りは、伝熱管への蒸気の供給量に分布を発生させ、復水器内に圧力分布が生じる。この圧力分布が生じると、圧力の低い部分の飽和温度が低下して、見かけ上、伝熱面積が減少するようになり、復水器の伝熱性能が低下して、効率が悪くなるという問題点があった。
【００１０】
また、特許文献１に開示された整流板は、連絡胴の底板と平行に複数枚設置されており、旋回成分による蒸気流動の偏りを復水器の蒸気流入部において一様にすることは全くできないものであった。
【００１１】
本発明は、このような問題点を解決するためになされたもので、タービンの排気室等から流出する蒸気の流れを復水器の蒸気流入部において一様とし、各伝熱管巣内へ均等に分散して流入できるようにすることにより、性能が向上するような整流装置付復水器を提供することを目的とする。
【００１２】
【課題を解決するための手段】
上記目的を達成するために、本発明による整流装置付復水器は、蒸気が流入する蒸気流入部を備えると共に内部に多数の伝熱管からなる伝熱管巣を有する復水器において、前記蒸気流入部の内壁面に、該蒸気流入部を介して流入する蒸気の流れ方向を横切るように内向きに延在するように配設された整流装置を備えることを特徴とする。
【００１３】
前記整流装置は、前記蒸気流入部の前記内壁面に沿って環状に配設されているのが好ましく、例えば、オリフィス状部材、案内羽根状部材、オリフィス状の多孔部材であるのが望ましい。また、前記整流装置を、前記蒸気の流れ方向を横切るように前記蒸気流入部の全体に亘って配設することもでき、例えば、ハニカム、多孔板、ワイヤメッシュにすることができる。
【００１４】
本発明が適用される装置としては、蒸気タービン用の復水器が好適であり、特に、蒸気タービンと復水器との間に配設された中間胴に前記整流装置を配設するのが好ましい。
【００１５】
【作用】
整流装置によって復水器内へ流入する蒸気の流れの旋回成分を緩和して、復水器内の伝熱管巣方向への蒸気流動の偏りを防止することにより、蒸気が伝熱管巣に向けて均等に導かれるようになり、局所的な伝熱疎阻害領域を排除することができる。従って、タービン部分負荷運転時において排気室から排出された蒸気が壁面付近に寄った偏流となっている場合にも、この蒸気は伝熱管巣に向けて均等に導かれるようになる。このようにして、復水器の性能を確保することができる。
【００１６】
【発明の実施の形態】
以下に添付の図面を参照しながら本発明の実施の形態を詳述するが、一連の図面において、同一の参照符号は、同様な構成要素を示す。
【００１７】
［第一の実施の形態］
以下、図１を参照しながら本発明の実施の形態を詳述する。図１は、本発明に係る整流装置の第一の実施の形態を示す概要図であり、この図において再度基本的な構成を説明すると、タービン車室（図示せず）の排気室１０は、タービン軸１の軸線方向で且つ蒸気の流れ方向下流に中間胴２０へ連接しており、さらにこの中間胴２０は、復水器３０に連接している。
【００１８】
復水器３０は、箱型の胴体３１を備えており、胴体３１の内部には、多数の伝熱管からなる伝熱管巣３２が複数の伝熱管支持板（図示せず）に支持されている。この伝熱管巣３２は、高温の蒸気を流入し易くしてその蒸気との伝熱性能を高めるために、鉛直方向並びに蒸気の流れ方向に各々分割して設けられている。なお、伝熱管巣３２の下方には、復水だめ３４が設けられている。
【００１９】
中間胴２０は、上壁面２１ａ、下壁面２１ｂ、並びに一対の左右壁面（図示せず）から構成されており、これらの壁面は、その上流側でタービン排気室と、その下流側で復水器３０の胴体３１と連接している。このような中間胴２０は、胴体３１と別個に形成しても、胴体３１と一体に形成してもよい。
【００２０】
復水器３０の内部に配設された伝熱管巣３２に向かって蒸気を流入させる蒸気流入部には、本願発明に係る流入する蒸気の旋回成分を緩和して伝熱管巣３２への蒸気流動の偏りを防止するための整流装置５０が取り付けられている。詳細には、整流装置５０は、伝熱管巣３２の上流側で中間胴２０の出口位置付近の上壁面２１ａ、下壁面２１ｂ及び一対の左右壁面からなる内壁面に沿って環状に取り付けられている。この実施形態における整流装置５０は、図２から良く分かるように、オリフィス型をしており、環状の板状部５１と中央開口５２とからなる。なお、整流装置５０の形状は、中間胴２０あるいは復水器３０の内壁面の形状に合わせればよく、この実施形態のように矩形でも、円形でも、如何なる形状にすることもできる。
【００２１】
次に、このようなオリフィス型の整流装置５０を取り付けた復水器３０への蒸気の流れを説明する。タービンの排気室１０の排気口１１から排出され、旋回成分を含む高流速の蒸気の流れは、中間胴２０の内壁面側に偏った流れとなる。しかしながら、壁面側の大きい流れは、整流装置５０の板状部５１に衝突してから中央開口５２を通過するため、整流装置５０によって旋回成分が緩和され、蒸気流動の偏りがなくなり均一な流れとなって、伝熱管巣３２へ向かって復水器３０の内部へ流入する。このように均等な流れになると、圧力分布が小さくなり、局所的な伝熱阻害領域を排除することができる。伝熱管巣３２の内部へ導かれた蒸気流は、伝熱管との間で熱交換をして冷却され復水となり、下側に配設された復水だめ３４に集められ、図示しない復水出口から回収される。
【００２２】
このような整流装置５０の作用により、中間胴２０の壁面付近に偏った蒸気流は、伝熱管巣３２の内部へ均等に導かれるため、伝熱管との間で良好な熱交換を行うことができ、復水器の性能の向上を図ることができる。これにより、特に、排気室１０からの蒸気の流れＳが壁面付近に寄った偏流となり易いタービン部分負荷運転時における復水器性能が向上するが、定格点での運転時にも、復水器性能の向上を図ることができる。なお、タービンからの高速の蒸気流が整流装置５０の板状部５１に衝突すると圧力損失が生じるが、全体として圧力分布が一様になるため、結果として復水器３０の性能を確保することができる。
【００２３】
［第二の実施の形態］
次に、図３を参照しながら本発明の第二の実施の形態を詳述する。なお、復水器３０等の基本的構成は、図１に示した第一の実施の形態と同様であるので、説明を省略する。この図において、整流装置６０は、第一の実施形態の整流装置５０とほぼ同一の形状であるが、板状部が多数の小孔を備えた多孔板６１になっている点で相違する。また、多数の小孔を備えた多孔板６１を用いているために、衝突する蒸気流に対する圧力損失が単なる板状部より小さくなるので、多孔板６１を内壁面からより長く中心側まで延在させることができ、そのため、中央開口６２は、第一の実施形態の中央開口５２に比して小さくすることができる。これにより、多孔板オリフィス型の整流装置６０は、第一の実施形態の単なるオリフィス型の整流装置５０に比して、整流能力が高くなる。すなわち、第一の実施の形態よりも、タービン部分負荷運転時及び定各点運転時においての復水器性能をより向上することができる。
【００２４】
［第三の実施の形態］
次に、図４を参照しながら本発明の第三の実施の形態を詳述する。なお、この実施形態においても、復水器３０等の基本的構成は、図１に示した第一の実施の形態と同様であるので、説明を省略する。この図において、整流装置７０は、案内羽根の形状をしており、詳述すると、外周部から内向きに、蒸気の流れ方向に沿って湾曲する案内羽根部７１を備えており、その中心側に中央開口７２が設けられている。この第三の実施形態によれば、衝突する蒸気流を湾曲する案内羽根部７１によって中央開口７２に導くため、先の実施形態に比して、より圧力損失を小さくすることができる。
【００２５】
［第四の実施の形態］
以上においては、タービン等の高流速用に利用できる整流装置を説明してきたが、以下には、一般的に流速の遅い場合に利用できるような整流装置を説明する。例えば、図５及び図６に示すように、整流装置８０を蒸気流入部の全体に亘って配設する。この実施形態では、整流装置８０は、多孔板８１からなっており、先の実施形態と異なり、中央開口が設けられていない。このように、蒸気流入口全体に亘って配設される整流装置８０は、蒸気の流速が速い場合には、圧力損失が大きすぎて使用することができないが、流速の遅い場合には、全体として整流作用が向上するため、安定した復水器３０の性能を確保することができる。なお、蒸気流入口全体に亘って配設される整流装置８０としては、例えば、ハニカム内臓型にしたり、あるいはワイヤメッシュ型にすることもできる。
【００２６】
以上の総ての実施の形態において、整流装置の各壁面への取付は、ボルト止めや溶接など如何なる既知の手段も用いることができる。また、整流装置と各壁面とを一体成形してもよい。また、整流装置は、如何なる材料から成形することもできるが、高温の蒸気と接触するため、耐熱性を有することが好ましい。
【００２７】
また、第一の実施形態について触れたが、各整流装置の形状は、中間胴あるいは復水器の内壁面の形状に合わせればよく、これらの実施形態のように矩形に限定されるものでなく、円形でも、多角形でも、如何なる形状にすることもできる。
【００２８】
【発明の効果】
本発明による蒸気タービン用復水器は、蒸気流入部の内壁面に、該蒸気流入部を介して流入する蒸気の流れ方向を横切るように内向きに延在するように配設された整流装置を備えているため、復水器内へ流入する蒸気の流れの旋回成分を緩和して、復水器内の伝熱管巣方向への蒸気流動の偏りを防止することができ、蒸気が伝熱管巣に向けて均等に導かれるようになり、局所的な伝熱疎阻害領域を排除して、タービン部分負荷運転時において排気室から排出された蒸気が壁面付近に寄った偏流となっている場合でも、この蒸気の流れが伝熱管巣に向けて均等に導かれるようになり、伝熱管との間で良好な熱交換を行い、復水器性能が向上する。
【図面の簡単な説明】
【図１】本発明に係る整流装置付復水器の形態を示す概要図である。
【図２】図１に示した整流装置の一の実施の形態を示す概要図である。
【図３】整流装置の別の実施の形態を示す概要図である。
【図４】整流装置のさらに別の実施の形態を示す概要図である。
【図５】本発明に係る整流装置付復水器の別の形態を示す概要図である。
【図６】図５に示した整流装置の一の実施の形態を示す概要図である。
【図７】従来の蒸気タービン用復水器に流入する蒸気の流れを示す概要図であり、（Ａ）は、その上面図、（Ｂ）は、その正面図である。
【符号の説明】
１…タービン軸、１０…排気室、１１…排気口、２０…中間胴、２１…壁面、２１ａ…上壁面、２１ｂ…下壁面、３０…復水器、３１…胴体、３２…伝熱管巣、３３…伝熱管支持板、３４…復水だめ、５０…整流装置、５１…板状部、５２…中央開口、６０…整流装置、６１…多孔板、６２…中央開口、６３…小孔、７０…整流装置、７１…案内羽根部、７２…中央開口、８０…整流装置、８１…多孔板、Ｓ…蒸気の流れ。
【図１】
2004100986.tif 000003
【図２】
2004100986.tif 000004
【図３】
2004100986.tif 000005
【図４】
2004100986.tif 000006
【図５】
2004100986.tif 000007
【図６】
2004100986.tif 000008
【図７】
2004100986.tif 000009